(57)【要約】      （修正有）【課題】側稜からの索引機能を持つ索引装置を提供する。【解決手段】側稜索引を利用した索引装置に関する。この側稜索引装置２は遊離側辺２２を有する第１の片体２１と、該遊離側辺から外部へ延出する第２の片体２３と、該遊離側辺に設置され、この遊離側辺上に一特定区域を形成させて索引用に供されるように該第１の片体と前記第２の片体とが相互に挟合ってなる側稜部２４とを備えてなる。【選択図】図２
2004268348.tif 000002
【特許請求の範囲】
【請求項１】
遊離側辺を有する第１の片体と、
前記遊離側辺から外部へ延出する第２の片体と、
前記遊離側辺に設置され、この遊離側辺上に一特定区域を形成させて索引用に供されるように前記第１の片体と前記第２の片体とが相互に挟合ってなる側稜部と、
を備えてなることを特徴とする側稜索引装置。
【請求項２】
前記側稜索引装置は仕切板、かばん、日記帳又はｐｐ書類ばさみに応用されることを特徴とする請求項１記載の側稜索引装置。
【請求項３】
前記第１の片体及び前記第２の片体は熱粘着方式で挟み固定されていることを特徴とする請求項１記載の側稜索引装置。
【請求項４】
前記側稜部は強打方式で特定の形状に垂直側辺に形成されてなることを特徴とする請求項１記載の側稜索引装置。
【請求項５】
前記第１の片体、前記第２の片体及び前記側稜部は一体に成形されてなることを特徴とする請求項１記載の側稜索引装置。
【請求項６】
収容空間を有する収容キャリヤと、
前記収容空間内に設置され、この収容空間を複数の収容区域に区画する複数の側稜索引仕切板と、を備えてなり、
その中、前記複数の側稜索引仕切板はさらに、
一遊離側辺を有する第１の片体と、
前記遊離側辺から外部へ延出する第２の片体と、
前記遊離側辺上に設置され、この遊離側辺上に一特定区域を形成させてそれぞれ前記複数の収容区域の索引用に供されるように、前記第１の片体及び第２の片体が相互に挟合ってなる側稜部と、
を備えてなることを特徴とする側稜索引装置。
【請求項７】
開口及び遊離端付側壁を有する収容キャリヤと、
前記遊離端上に設置して前記収容キャリヤの索引用に供される索引構造と、
を備えてなることを特徴とする側稜索引装置。
【請求項８】
前記索引構造は、前記遊離端付側壁に垂直していることを特徴とする請求項７記載の側稜索引装置。
【請求項９】
それぞれ収容空間及び稜面側端を有する複数の収容キャリヤと、前記複数の収容キャリヤを整合するように該複数の収容キャリヤ間に接続される複数の接続キャリヤと、
前記稜面側端に設置して前記複数の収容キャリヤの索引用に供される複数の側稜索引構造と、
を備えてなることを特徴とする側稜索引装置。
【請求項１０】
遊離端を有する片状体と、
前記遊離端上に前記片状体と一特定角度を呈するように設置して、索引用に供される側稜索引構造と、
を備えてなることを特徴とする側稜索引装置。
【発明の詳細な説明】
【０００１】
【発明の属する技術分野】
本発明は索引構造に関し、特に、側稜索引を利用した索引装置に関する。
【０００２】
【従来の技術】
従来から差込式索引ストリップ・カード付仕切板がずっと汎用され、かつ大部分がトリプル・クリップと取合せて使用されている。年毎のこのタイプの索引仕切板の生産総額は４，０００万乃至５，０００万ドルに達している。
【０００３】
そしてこのタイプの索引仕切板も既にあまたの学生及び商務人員に熟知使用されている。これら工具の共助により彼らは課業の筆記を科の種類別に整理すると共に報告を章節に基づいて分類できる他、企画案を区段に基づいて整理することができる。このようにすることにより、データ処理の工作がより簡単容易になる。
【０００４】
また、一般使用者にあっては、通常データを整理又は分類するために該索引仕切板をトリプル・クリップ内に挟持しているが、処理の便利を図るために一部の使用者はこれら索引仕切板を他の文具と結合させている。
【０００５】
図１は複数の平面条状の索引構造を備えた従来の索引装置を示す図である。図において、従来の索引装置１０はサイズが通常８．５インチないし１１インチの間にある厚紙仕切板１２と、仕切板１２の遊離側辺に設置されて索引用とする平面条状の索引構造１３とを備えている。
【０００６】
【発明が解決しようとする課題】
この従来の技術によれば、使用者が複数の索引仕切板１０を同時に収容キャリヤ１４に置き、そして該収容キャリヤ１４を再度本棚に置いた場合、使用者は直接横側の方向から該収容キャリヤ１４における各分類区塊中に収納されたデータ内容を判定できず、先ず該収容キャリヤ１４を外し、他の側面側から新たに各分類区塊の内容を検めなければならないので、使用上の不便をもたらしている。したがって、側稜から索引機能を提供する索引装置が要望されている。
【０００７】
本出願人は上記従来技術に鑑み、鋭意試験と研究を重ねた結果、ついに本発明の側稜検索装置を案出した。
【０００８】
【課題を解決するための手段】
本発明の主たる目的は、如何なる状況下において索引の機能を提供し、索引装置が同一処理に集中して置かれた時に使用者が直接各索引装置を判断・区分でき、これにより索引機能の効率を向上する側稜索引装置を提供することにある。
【０００９】
上記目的を達成するための本発明の側稜索引装置は、遊離側辺を有する第１の片体と、該遊離側辺から外部へ延出する第２の片体と、該遊離側辺に設置され、この遊離側辺上に一特定区域を形成させて索引用に供されるように該第１の片体と前記第２の片体とが相互に挟合ってなる側稜部とを備えてなる。（請求項１に対応）
【００１０】
上記本発明の側稜索引装置は仕切板、かばん、日記帳又はｐｐ書類ばさみに応用される。（請求項２に対応）
【００１１】
また、上記本発明の側稜索引装置において、該第１の片体及び前記第２の片体は熱粘着方式で挟み固定されている。（請求項３に対応）
【００１２】
また、上記本発明の側稜索引装置において、該側稜部は強打方式で特定の形状に垂直側辺に形成されてなる。（請求項４に対応）
【００１３】
また、上記本発明の側稜索引装置において、該第１の片体、前記第２の片体及び前記側稜部は一体に成形されてなる。（請求項５に対応）
【００１４】
さらには上記主たる目的を達成するための本発明の側稜索引装置は、収容空間を有する収容キャリヤと、該収容空間内に設置され、この収容空間を複数の収容区域に区画する複数の側稜索引仕切板とを備えてなり、
その中、該複数の側稜索引仕切板はそれぞれさらに、一遊離側辺を有する第１の片体と、該遊離側辺から外部へ延出する第２の片体と、該遊離側辺に設置され、この遊離側辺上に一特定区域を形成させてそれぞれ前記複数の収容区域の索引用に供されるように、第１の片体及び第２の片体が相互に挟合ってなる側稜部と、を備えてなる。（請求項６に対応）
【００１５】
また、上記目的を達成するための、他の実施のアイデアによる本発明の側稜索引装置は、開口及び遊離端付側壁を有する収容キャリヤと、該遊離端上に設置して該収容キャリヤの索引用に供される索引構造とを備えてなる。（請求項７に対応）
【００１６】
上記本発明の側稜索引装置において該索引構造は、該遊離端付側壁に垂直している。（請求項８に対応）
【００１７】
さらには、上記目的を達成するための、他の実施のアイデアによる本発明の側稜索引装置は、それぞれ収容空間及び稜面側端を有する複数の収容キャリヤと、該複数の収容キャリヤを整合するように該複数の収容キャリヤ間に接続される複数の接続キャリヤと、該稜面側端に設置して前記複数の収容キャリヤの索引用に供される複数の側稜索引構造とを備えてなる。（請求項９に対応）
【００１８】
また、上記目的を達成するための、他の実施のアイデアによる本発明の側稜索引装置は、遊離端を有する片状体と、該遊離端上に該片状体と一特定角度を呈するように設置して、索引用に供される側稜索引構造とを備えてなる（請求項１０に対応）
【００１９】
上記開示は添付図面を参照しながら実施例を説明することにより、より深く理解される。
【００２０】
【発明の実施の形態】
本発明の主たる目的は如何なる状況下において索引の機能を提供し、索引装置が同一処理に集中して置かれた時に使用者が直接各索引装置を判断・区分でき、これにより索引機能の効率を向上する側稜索引装置を提供することにある。
【００２１】
図２（ａ）（ｂ）は側稜索引機能を具備した索引装置の第１の実施例を示す図である。図２（ａ）において、側稜索引装置２は遊離側辺２２を有する第１の片体２１と、遊離側辺２２から外部へ延出する第２の片体２３と、遊離側辺２２上に設置され、この遊離側辺２２上に一特定区域を形成させて索引用に供するように第１の片体２１と第２の片体２３とが相互に挟合ってなる側稜部２４とを備えてなる。
【００２２】
そして本実施例における側稜索引構造の成形はそれぞれ図２（ａ）及び図２（ｂ）に図示された構造から推定することができる。
【００２３】
図２（ｂ）に示すように、第１の片体２１及び第２の片体２３は熱粘着方式で挟み合い固定されている。勿論、この挟み合い固定方式は熱粘着方式に限らず、その他の片体係合方式も同様に本実施例に適用される。
【００２４】
また、本発明のアイデアによれば、本発明の側稜索引装置は仕切板、かばん、日記帳又はｐｐ書類ばさみに応用され得、かつ、図３に示されるように該側稜索引構造は大部分の文具用品上に応用され得る。また、本実施例の側稜索引装置において、該第１の片体、第２の片体及び該側稜部に一体に成形されている。
【００２５】
次に、図４は側稜索引機能を具備した索引装置の第３の実施例を示す図である。この図４に示すように、本実施例の側稜索引装置４は収容空間４２を有する収容キャリヤ４１と、収容空間４２内に設置され、この収容空間４２を複数の収容区域４４に区画する複数の側稜索引仕切板４３とを備えてなり、その中、該複数の側稜索引仕切板４３はそれぞれ更に、遊離側変４３２を有する第１の片体４３１と、該遊離側辺４３２から外部へ延出する第２の片体４３３と、該遊離側辺４３２上に設置され、この遊離側辺４３２上に一特定区域を形成させてそれぞれ該複数の収容区域４４の索引用に供される側稜部４３４とを備えてなる。
【００２６】
この場合、本実施例においては、第１の片体４３１及び第２の片体４３３は熱粘着方式で挟み固定されている。勿論、この挟み合い固定方式は熱粘着方式に限らず、その他の片体係合方式等も同様に本実施例に適用される。また、本発明のアイデアによれば、本実施例の側稜部４３４は強打方式でプレス成形してなり、特定の形状を有すると共に垂直側辺４３２に成形されている。そして本実施例では、第１の片体４３１、第２の片体４３３及び側稜部４３４は一体に成形されている。
【００２７】
次に、図５は側稜索引機能を具備した索引装置の第４の実施例を示す図である。図５に示すように本実施例の側稜索引装置はさらに、開口５２及び遊離端付側壁５３を有する収容キャリヤ５１と、該遊離端５４上に設置して、該収容キャリヤ５１の索引用に供される索引構造５５とを備えてもよい。
上記本実施例の側稜索引装置５において該索引構造５５は該遊離端付側壁５３に垂直している。
【００２８】
次に、図５の実施例を応用した応用例の側稜索引装置５は、それぞれ収容空間及び背面側端５４を有する複数の収容キャリヤ５１と、該複数の収容キャリヤ５１を整合するように該複数の収容キャリヤ５１間に接続される複数の接続キャリヤと、該稜面側端５４上に設置して、該複数の収容キャリヤ５１の索引用に供される複数の側稜索引構造５５とを備えてなる。
【００２９】
言うまでもなく、本発明の側稜索引装置は遊離端２２を有する片状体２１と、該遊離端２２上に片状体２１と一特定角度を呈するように設置して索引用に供される側稜索引構造２４とを備えてもよい。
【００３０】
要するに、本発明の側稜索引機能を具備した索引装置によれば、如何なる状況下において索引の機能を提供し、索引装置が同一処理に集中して置かれた時に使用者が直接各索引装置を判断・区分でき、これにより索引機能の効率を向上することができる。
【００３１】
ちなみに、上記実施例は本発明の技術的手段をより具体的に説明するために例として挙げたもので、当然本発明の技術的思想はこれに限定されるべきでなく、添付クレームを逸脱しない限り当業者による単純な設計変更、付加及び置換は、本発明の技術的範囲に属する。
【図面の簡単な説明】
【図１】従来の平面条状側稜索引装置を示す図である。
【図２】（ａ）（ｂ）は側稜索引機能を具備した索引装置の第１の実施例を示す図である。
【図３】（ａ）（ｂ）（ｃ）は側稜索引機能を具備した索引装置の第２の実施例を示す図である。
【図４】側稜索引機能を具備した索引装置の第３の実施例を示す図である。
【図５】側稜索引機能を具備した索引装置の第４の実施例を示す図である。
【符号の説明】
２      側稜索引装置
４      側稜索引装置
５      側稜索引装置
１０    索引仕切板
１２    仕切板
１２    厚紙仕切板
１３    索引構造
１４    収容キャリヤ
１４    該収容キャリヤ
２１    第１の片体
２２    遊離側辺
２３    第２の片体
２４    側稜部
【図１】
2004268348.tif 000003
【図２】
2004268348.tif 000004
【図３】
2004268348.tif 000005
【図４】
2004268348.tif 000006
【図５】
2004268348.tif 000007